【事件の表示】
　平成　９年特許願第２１８２７０号「遠隔監視制御システム」拒絶査定不服審判事件〔平成１１年　２月１６日出願公開，特開平１１−　４６３８７〕について，次のとおり審決する。
【結　論】
　本件審判の請求は，成り立たない。
【理　由】
第１　手続の経緯
　　出願日：　　　平成　９年　７月２８日
　　拒絶査定日：　平成１６年　４月１６日
　　審判請求日：　平成１６年　５月２０日
　　手続補正書：　平成１６年　５月２０日（特許請求の範囲の補正）
　　手続補正書：　平成１６年　６月２１日（全文の補正）
　　審尋：　　　　平成１８年　２月２８日
　　回答書：　　　平成１８年　５月　８日
　
第２　補正却下の決定
［補正却下の決定の結論］
　下記［補正却下の理由Ａ］により，平成１６年５月２０日付けの手続補正を却下する。
　下記［補正却下の理由Ｂ］により，平成１６年６月２１日付けの手続補正を却下する。
　
［補正却下の理由Ａ］
１．補正後の本願発明
　平成１６年５月２０日付けの手続補正は，特許請求の範囲の請求項１（以下「補正発明」という。）を以下のように補正することを含むものである。
　
「スイッチを備えスイッチごとに固有のアドレスが設定される操作端末器と，負荷が接続され負荷ごとに固有のアドレスが設定される制御端末器と，操作端末器および制御端末器を分岐接続した信号線に接続されスイッチが操作されたときに操作端末器から受け取る監視データに基づいて負荷を制御する制御データを生成するとともに操作されたスイッチとの対応関係が設定されている負荷を接続した制御端末器に対して制御データを伝送する伝送制御装置と，信号線に接続され１つのスイッチの操作によって複数の負荷を一括して制御するように関係データを生成し関係データを伝送制御装置に転送し設定させるパターン設定装置とを備え，パターン設定装置は，各負荷に対応するアドレスを選択するキーと，選択されたアドレスに応じて画面を切り換えて表示する表示器と，連続したアドレスの先頭と終端とを指定するとともに指定されたアドレスの負荷の制御内容を指定する機能の指定が可能な特別キーと，選択された負荷を記憶する記憶手段とが可搬な器体に設けられていることを特徴とする遠隔監視制御システム。」
　
２．新規事項の有無，補正の目的要件について
　上記補正は，願書に最初に添付した明細書又は図面に記載した事項の範囲内になされたものであるから，特許法第１７条の２第３項の規定に適合している。
　また，「負荷に対応する複数個のアドレスをまとめて操作する状態に切り換える特別キー」を「連続したアドレスの先頭と終端とを指定するとともに指定されたアドレスの負荷の制御内容を指定する機能の指定が可能な特別キー」と限定するものであるから，特許法第１７条の２第４項第２号の特許請求の範囲の減縮を目的とするものに該当する。
　
３．独立特許要件について
　上記補正は特許請求の範囲の減縮を目的とするものであるから，上記補正発明が，特許出願の際独立して特許を受けることができるものであるか（特許法第１７条の２第５項において準用する同法第１２６条第５項の規定に適合するか）について以下に検討する。
　
３．１　補正後の発明
　上記「１．補正後の本願発明」の項で認定したとおりである。
　
３．２　引用発明
　原査定の拒絶の理由に引用された特開平２−３５８９７号公報（以下「引用例」という。）には，「パターン設定用端末器」の発明に関し，図面とともに以下の事項ａ〜ｆが記載されている。
　
・摘記事項ａ　（１頁左下欄４行〜２頁左上欄３行）
「２．特許請求の範囲
（１）中央制御装置と，固有アドレスを有する多数の端末器とを一対の信号線にて接続し，中央制御装置から各端末器をアクセスして監視データおよび制御データを時分割多重伝送するようにした遠隔監視制御システムにおける負荷一括制御用のパターン制御データを設定するパターン設定用端末器において，中央制御装置を内蔵せしめたことを特徴とするパターン設定用端末器。
（２）中央制御装置と，固有アドレスを有する多数の端末器とを一対の信号線にて接続し，中央制御装置から各端末器をアクセスして監視データおよび制御データを時分割多重伝送するようにした遠隔監視制御システムにおける負荷一括制御用のパターン制御データを設定するパターン設定用端末器において，パターン制御データを入力するデータ入力用手段を通常監視制御動作時に複数種の操作スイッチとして利用できるようにするモード切り替え手段を設けたことを特徴とするパターン設定用端末器。
（３）中央制御装置と，固有アドレスを有する多数の端末器とを一対の信号線にて接続し，中央制御装置から各端末器をアクセスして監視データおよび制御データを時分割多重伝送するようにした遠隔監視制御システムにおける負荷一括制御用のパターン制御データを設定するパターン設定用端末器において，信号線の要所に設けられたコンセントに接続自在にするコネクタ付きケーブルを設けたことを特徴とするパターン設定用端末器。
（４）中央制御装置と，固有アドレスを有する多数の端末器とを一対の信号線にて接続し，中央制御装置から各端末器をアクセスして監視データおよび制御データを時分割多重伝送するようにした遠隔監視制御システムにおける負荷一括制御用のパターン制御データを設定するパターン設定用端末器において，設定データをワイヤレス信号にて送信するワイヤレス送信部を設けるとともに，ワイヤレス受信器にて受信されたデータをワイヤレス中継端末器を介して中央制御装置に転送するようにしたことを特徴とするパターン設定用端末器。」
　
・摘記事項ｂ　（２頁左上欄５行〜同頁左下欄１８行）
「［産業上の利用分野］
　本発明は，中央制御装置と端末器とを一対の信号線で接続し，制御データ，監視データなどを時分割多重伝送して負荷を遠隔制御する遠隔監視制御システムのパターン設定用端末器に関するものである。
［従来技術］
　従来，中央制御装置から端末器をアクセスしてデータを時分割多重伝送するようにした遠隔監視制御装置は，第８図に示すように，中央制御装置１と，固有アドレスが設定された複数の監視用端末器２，制御用端末器３，中継端末器７，外部インターフェース端末器８およびパターン設定用端末器９とが一対の信号線４にて接続されており，中央制御装置１から各端末器をアクセスしてスイッチＳ1〜Ｓ4の監視データおよび負荷Ｌ1〜Ｌ4の制御データを時分割多重伝送するようになっている。
ここに，中央制御装置１から信号線４に送出される伝送信号Ｖｓは，第９図（ａ）に示すように，信号送出開始を示すスタートパルス信号ＳＴ，信号モードを示すモードデータ信号ＭＤ，端末器２，３，７〜９を呼び出す８ビットのアドレスデータを伝送するアドレスデータ信号ＡＤ，負荷Ｌ1〜Ｌ4を制御する制御データを伝送する制御データ信号ＣＤ，チェックサムデータ信号ＣＳおよび端末器２，３，７〜９からの返送期間を設定する返送待機信号ＷＴよりなる複極（±２４ｖ）の時分割多重信号であり，パルス幅変調によってデータが伝送されるようになっている。各端末器２，３，７〜９では，信号線４を介して受信された伝送信号Ｖｓのアドレスデータと自己の固有アドレスデータとが一致したときその伝送信号Ｖｓの制御データを収り込むとともに，伝送信号Ｖｓの返送待機信号ＷＴに同期して監視データ信号を電流モード信号（信号線４間を適当な低インピーダンスを介して短絡して送出される信号）として返送するようになっている。また，中央制御装置１には，モードデータ信号ＭＤをダミーモードとしたダミー伝送信号を常時送出するダミー信号送信手段と，いずれかの監視用端末器２あるいは中継端末器７，外部インターフェース端末器８，パターン設定用端末器９から返送された第９図（ｂ）に示すような割り込み信号Ｖｉが受信されたとき，割り込み発生端末器２，７〜９を検出して該端末器２，７〜９をアクセスして監視データを返送させる割り込み処理手段とが設けられている。また，中央制御装置１では，上述のようにして監視用端末器２あるいは中継端末器７，外部インターフェース端末器８，パターン設定用端末器９から中央制御装置１に返送された監視データに基いて対応する負荷Ｌ1〜Ｌ4を制御する制御用端末器３に伝送する制御データを作成するとともに，その制御データを信号線４を介して当該制御用端末器３に時分割多重伝送して負荷Ｌ1〜Ｌ4を制御するようになっている。」
　
・摘記事項ｃ　（３頁左上欄４〜１１行）
　「第１１図は，監視用端末器２を示すもので，回路構成は上記制御用端末器３の回路構成と略同一であり，監視回路１６にて個別制御スイッチあるいはパターン制御スイッチのようなスイッチＳ1の状態を監視し，このスイッチ監視入力に基いて監視データを信号処理回路１１にて形成し，前述した割り込み処理によって中央制御装置１に返送するようになっており，」
　
・摘記事項ｄ　（３頁左下欄９行〜同頁右下欄１６行）
「［発明が解決しようとする課題］
　しかしながら，上述の従来例において，中央制御装置１および制御用端末器３の一部を分電盤６，リレー制御盤６ａなどに配設していたが，盤６，６ａが存在しない場合には，配設スペースが容易に確保できず，施工が面倒になるという問題があった。
　一方，パターン設定用端末器９のデータ入力手段は多数のスイッチを用いて形成されるが，通常の監視制御動作時においては有効に利用されていないという問題があった。
　さらにまた，パターン設定用端末器９が固設されていたので，現場の状況によっては負荷の配設状況（制御用端末器３の配置）の関係でパターン制御データの設定がやり難い場合があった。
　本発明は上記の点に鑑みて為されたものであり，その第１の目的とするところは，中央制御装置を内蔵することにより施工を簡略化することにあり，また第２の目的とするところは，パターン設定用のデータ入力手段を通常の監視制御動作時に有効利用して複数種の制御を行わせることによりシステム構成を簡略化できるパターン設定端末器を提供することにあり，さらにまた第３の目的とするところは，信号線に接続自在で任意の位置にできるパターン設定用端末器を提供することにあり，さらにまた第４の目的とするところは，任意の位置に容易に移動して設定を容易に行えるパターン設定用端末器を提供することにある。」
　
・摘記事項ｅ　（４頁右下欄１５行〜５頁右下欄２行）
「第４図は，パターン設定用端末器９の端末器ケースの前面に形成された操作表示部の正面図を示すもので，複数ブロックに分割されたパターン制御対象の制御用端末器３をアップ，ダウンによって選択するチャンネル選択スイッチＳＷａ，ＳＷａ’，ＳＷｂ，ＳＷｂ’と，各制御用端末器３の負荷回路を選択する個別選択スイッチＳＷ1ａ〜ＳＷ1ｄ・・・・・・ＳＷ16ａ〜ＳＷ16ｄと，データを設定するブロックを切換えるブロック切換スイッチＳＷ20と，設定されたデータをデータ記憶部２３に記憶させるデータセットスイッチＳＷ19と，設定されたパターン制御データを適宜プリントアウトさせるプリントアウトスイッチＳＷ21と，記憶されたパターン制御データを中央制御装置１に返送させるデータ返送スイッチＳＷ22と，中央制御装置１からパターン設定用端末器９ヘパターン制御データを転送させるデータ転送スイッチＳＷ23とで形成されている。図中，番号設定スイッチＳＷｃ，ＳＷｃ’は，パターン番号あるいはグループ番号をアップ，ダウンによって入力する押釦スイッチであり，モード切換スイッチＳＷ24は，初期設定モード，確認，変更モード，通常モード，プリントモードを切換えるスライドスイッチである。また，クリアスイッチＳＷ25は入力したデータ（液晶表示素子にて形成される表示部ＤＰａ，ＤＰｂに表示されているチャンネルＮｏ，パターン，グループＮｏ）や，接続ミス，操作ミスに対して表示されるエラーメツセージをクリアする押釦スイッチ，スイッチＳＷ26，ＳＷ27，ＳＷ28はパターン制御データの種別を設定するトータルパターンスイッチ，フロアパターンスイッチ，グループスイッチである。また，オールオンスイッチＳＷ30，オールオフスイッチＳＷ31，オールエリア外スイッチＳＷ32は，トータルパターン設定時における特定のデータ入力をワンタッチで行えるようにするための押釦スイッチであり，全負荷回路に対する同一データの設定を容易に行えるようになっている。また，表示部ＤＰ1〜ＤＰ16には，パターン制御対象となる制御用端末器３（実施例では６４個）を４ブロツクに分割した場合における各制御用端末器３のチャンネルＮｏ（実施例では，０〜１５ｃｈ，１６〜３１ｃｈ，３２〜４７ｃｈ，４８〜６３ｃｈ）が，ブロック切換に応じて切換表示されるようになっている。なお，データ入力部９ａの左側に設けられている機能設定部２５ａには，誤操作防止用の扉（図示せず）が覆着されている。
　以下，パターン設定用端末器９の動作について説明する。いま，データ入力部９ａからパターン制御データを設定する場合には，モード切換スイッチＳＷ24を初期設定モードに設定して，スイッチＳＷ26〜ＳＷ28にてパターン制御の種別を入力する。次に，番号設定スイッチＳＷｃ，ＳＷｃ’によってパターンスイッチに対応するパターン番号を設定するとともに，ブロック切換スイッチＳＷ20によってデータ設定するブロックを選択し，
チャンネル選択スイッチＳＷａ，ＳＷａ’，ＳＷｂ，ＳＷｂ’によって制御用端末器３のチャンネル番号（端末器番号）を設定するとともに，個別選択スイッチＳＷ
1
ａ〜ＳＷ
1
ｄ・・・ＳＷ
16
ａ〜ＳＷ
16
ｄによってオンさせる負荷回路番号を設定
　
・摘記事項ｆ　（６頁左上欄５〜１１行）
「以上のようにして設定されたパターン制御データは，パターン設定用端末器９内に設けられている不揮発メモリよりなるデータ記憶部２３に一旦記憶され，データ転送スイッチＳＷ22を押すことによって伝送信号送受信部２０，信号線４を介して中央制御装置１に返送されてパターン制御データ記憶用のメモリに記憶される。」
　
　ここで，上記摘記事項ｂ，ｃには，監視用端末器２から中央制御装置に返送される「個別制御スイッチあるいはパターン制御スイッチのようなスイッチＳ1」による監視データに基づいて対応する負荷Ｌ1〜Ｌ4を制御する旨記載されているから，監視用端末器及び制御用端末器は，「スイッチを備えスイッチごとに固有のアドレスが設定される監視用端末器」及び「負荷が接続され負荷ごとに固有のアドレスが設定される制御用端末器」であるといえる。さらに，上記摘記事項ｂには，「中央制御装置１に返送された監視データに基いて対応する負荷Ｌ1〜Ｌ4を制御する制御用端末器３に伝送する制御データを作成するとともに，その制御データを信号線４を介して当該制御用端末器３に時分割多重伝送して負荷Ｌ1〜Ｌ4を制御する」と記載されているから，中央制御装置は，「スイッチが操作されたときに監視用端末器から受け取る監視データに基づいて負荷を制御する制御データを生成するとともに操作されたスイッチとの対応関係が設定されている負荷を接続した制御用端末器に対して制御データを伝送する中央制御装置」であるといえる。
　上記摘記事項ｅにおける，「負荷回路番号」とは，一種のアドレスであるから，制御用端末器３のチャンネル番号（端末器番号）を設定するチャンネル選択スイッチＳＷａ，ＳＷａ’，ＳＷｂ，ＳＷｂ’，及び負荷回路番号を設定する個別選択スイッチＳＷ1ａ〜ＳＷ1ｄ・・・ＳＷ16ａ〜ＳＷ16ｄは，各負荷に対応するアドレスを選択するキーであるといえる。
　パターン制御データを記憶するデータ記憶部２３は，選択された負荷を記憶する記憶手段であるといえる。
　
　したがって，上記引用例の記載及び図面並びにこの分野における技術常識を考慮すると，上記引用例には，以下の発明（以下「引用発明」という。）が記載されているものと認められる。
　
「スイッチを備えスイッチごとに固有のアドレスが設定される監視用端末器と，負荷が接続され負荷ごとに固有のアドレスが設定される制御用端末器と，スイッチが操作されたときに監視用端末器から受け取る監視データに基づいて負荷を制御する制御データを生成するとともに操作されたスイッチとの対応関係が設定されている負荷を接続した制御用端末器に対して制御データを伝送する中央制御装置と，負荷一括制御用のパターン制御データを設定するパターン設定用端末器とを備え，上記中央制御装置，複数の上記監視用端末器，上記制御用端末器，中継端末器，外部インターフェース端末器および上記パターン設定用端末器とが一対の信号線にて接続されており，上記パターン設定用端末器は，各負荷に対応するアドレスを選択するキーと，表示器と，選択された負荷を記憶する記憶手段が設けられていることを特徴とする遠隔監視制御システム。」
　
３．３　対比・判断
　補正発明と引用発明を対比すると，引用発明の「中央制御装置」，「監視用端末器」，「制御用端末器」，「パターン設定用端末器」は，その機能において，それぞれ，補正発明の「伝送制御装置」，「操作端末器」，「制御端末器」，「パターン設定装置」に相当する。
　また，引用発明における，「負荷一括制御用のパターン制御データ」は，補正発明における，伝送制御装置に転送し設定される「複数の負荷を一括して制御する関係データ」であるといえる。
　
　したがって，両者の一致点及び相違点は，次のとおりである。
＜一致点＞
「スイッチを備えスイッチごとに固有のアドレスが設定される操作端末器と，負荷が接続され負荷ごとに固有のアドレスが設定される制御端末器と，操作端末器および制御端末器を分岐接続した信号線に接続されスイッチが操作されたときに操作端末器から受け取る監視データに基づいて負荷を制御する制御データを生成するとともに操作されたスイッチとの対応関係が設定されている負荷を接続した制御端末器に対して制御データを伝送する伝送制御装置と，信号線に接続され１つのスイッチの操作によって複数の負荷を一括して制御するように関係データを生成し関係データを伝送制御装置に転送し設定させるパターン設定装置とを備え，パターン設定装置は，各負荷に対応するアドレスを選択するキーと，表示器と，選択された負荷を記憶する記憶手段とが器体に設けられていることを特徴とする遠隔監視制御システム。」
　
＜相違点１＞表示器に関して，補正発明は「選択されたアドレスに応じて画面を切り換えて表示する表示器」であるの対し，引用発明の表示器は，そのような表示器ではない点。
　
＜相違点２＞補正発明は「連続したアドレスの先頭と終端とを指定するとともに指定されたアドレスの負荷の制御内容を指定する機能の指定が可能な特別キー」を有するのに対し，引用発明は，該特別キーを有さない点。
　
＜相違点３＞補正発明のパターン設定装置は「可搬な器体」に設けられるのに対し，引用発明のパターン設定装置は，可搬な器体ではない点。
　
　上記相違点１〜３について検討する。
＜相違点１について＞
　特開平３−１１６６８２号公報の特許請求の範囲に記載された，任意のアドレス（先頭のアドレス）を設定された割付選択状態または監視状態を表示可能な割付状態・監視状態表示部や，特開平８−１２９５２０号公報の図８〜１０等に記載された，アドレスの一種である電話番号に応じて画面を切り換える画面表示例のように，選択されたアドレスなどに応じて画面を切り換えて表示する表示器は周知であり，該周知の表示器を引用発明に適用する上で何ら阻害要因も見あたらないから，引用発明において「選択されたアドレスに応じて画面を切り換えて表示する表示器」を採用することは，当業者が容易になし得ることである。
　
＜相違点２について＞
　特開平５−２９８５８７号公報の段落【０００７】，【図４】等に記載された，遠隔監視制御システムにおいて，開始アドレスと最終アドレスによるアドレス範囲の設定や，特開平８−２８７０４７号公報の【要約】，【００２０】〜【００２４】に記載された，部分印刷設定キーの操作による開始／終了位置（アドレス）の設定や，特開平５−１１３９７６号公報の【要約】，【図２】，【図３】に記載された，印刷の開始ページ，終了ページの指定や，特開平２−７２４２８号公報の特許請求の範囲に記載された，属性単位の開始アドレスと終了アドレスの設定などのように，処理の実行において，連続したアドレスの先頭と終端とを指定することは常套手段であり，指定に当たって，上記部分印刷設定キーのような特別なキーに，キー操作を割り当てることにも格別な困難性は認められないから，引用発明において「連続したアドレスの先頭と終端とを指定するとともに指定されたアドレスの負荷の制御内容を指定する機能の指定が可能な特別キー」を付加することは，当業者が容易に想到し得るものである。
　
＜相違点３について＞
　前記した特開平８−１２９５２０号公報の【要約】，段落【００５０】，【図１】等に記載された，情報機器の設定を行うハンディ・ターミナルや，特開平２−２７４０８９号公報の第１図に記載された，遠隔監視制御システムにおけるパターン設定の可能なアドレス設定器２０や，特開平５−５６３２６号公報の段落【０００１】等に記載された，データ設定を行う可搬型のテレビジョンカメラ遠隔操作装置や，特開平３−２８０７８９号公報の第１，２図に記載された，各種の設定が可能なリモコン装置などのように，設定装置を可搬型のものとすることは，常套手段であるから，引用発明のパターン設定装置（パターン設定用端末器）を「可搬な器体」に設けることは，当業者が容易に想到し得るものである。
　
　そして，補正発明の作用効果も，引用例に記載された発明，周知技術及び常套手段から当業者が容易に予測できる範囲のものである。
　
　したがって，補正発明は，引用例に記載された発明，周知技術及び常套手段に基づいて，当業者が容易に発明をすることができたものであるから，特許法第２９条第２項の規定により，特許出願の際独立して特許を受けることができないものである。
　
３．４　むすび
　以上のとおり，本件手続補正は，特許法第１７条の２第５項の規定で準用する同法第１２６条第５項〔独立特許要件〕の規定に違反するものであり，同法第１５９条第１項で準用する同法第５３条第１項〔補正却下〕の規定により却下すべきものである。
　
［補正却下の理由Ｂ］
　平成１６年６月２１日付けの手続補正書の特許請求の範囲の請求項１は，平成１６年５月２０日付けの手続補正書の特許請求の範囲の請求項１と同一であるところ，平成１６年５月２０日付けの手続補正は，上記［補正却下の理由Ａ］のとおり却下されるべきものであるので，平成１６年６月２１日付けの手続補正は，上記［補正却下の理由Ａ］と同様の理由により，特許法第１７条の２第５項の規定で準用する同法第１２６条第５項〔独立特許要件〕の規定に違反するものであり，同法第１５９条第１項で準用する同法第５３条第１項〔補正却下〕の規定により却下すべきものである。
　
第３　本願発明について
１．本願発明
　平成１６年５月２０日付けの手続補正及び平成１６年６月２１日付けの手続補正は，上記のとおり却下されたので，本願の請求項１に係る発明（以下「本願発明」という。）は，平成１５年３月２４日付けの手続補正書により補正された明細書及び図面の記載からみて，その特許請求の範囲の請求項１に記載された以下のとおりのものである。
　
「スイッチを備えスイッチごとに固有のアドレスが設定される操作端末器と，負荷が接続され負荷ごとに固有のアドレスが設定される制御端末器と，操作端末器および制御端末器を分岐接続した信号線に接続されスイッチが操作されたときに操作端末器から受け取る監視データに基づいて負荷を制御する制御データを生成するとともに操作されたスイッチとの対応関係が設定されている負荷を接続した制御端末器に対して制御データを伝送する伝送制御装置と，信号線に接続され１つのスイッチの操作によって複数の負荷を一括して制御するように関係データを生成し関係データを伝送制御装置に転送し設定させるパターン設定装置とを備え，パターン設定装置は，各負荷に対応するアドレスを選択するキーと，選択されたアドレスに応じて画面を切り換えて表示する表示器と，負荷に対応する複数個のアドレスをまとめて操作する状態に切り換える特別キーと，選択された負荷を記憶する記憶手段とが可搬な器体に設けられていることを特徴とする遠隔監視制御システム。」
　
２．引用発明
　引用発明は，上記「第２　補正却下の決定」の「３．２　引用発明」の項で認定したとおりである。
　
３．対比・判断
　本願発明は，上記「第２　補正却下の決定」で検討した補正発明において，「連続したアドレスの先頭と終端とを指定するとともに指定されたアドレスの負荷の制御内容を指定する機能の指定が可能な特別キー」を「負荷に対応する複数個のアドレスをまとめて操作する状態に切り換える特別キー」としたものである。
　
　そうすると，本願発明の構成要件をすべて含み，さらに他の構成要件を付加又は限定した補正発明が，上記「第２　補正却下の決定」の「３．３　対比・判断」の項に記載したとおり，引用例に記載された発明及び周知技術に基づいて当業者が容易に発明をすることができたものであるから，本願発明も同様の理由により，当業者が容易に発明をすることができたものである。
　
４．むすび
　以上のとおり，本願発明は，引用例に記載された発明，周知技術及び常套手段に基づいて当業者が容易に発明をすることができたものであるから，特許法第２９条第２項の規定により特許を受けることができない。
　
　よって，結論のとおり審決する。